(57)【要約】【課題】植物を栽培する際に、病害や病虫害の予防に要するコストを低く抑える。【解決手段】底板２と、底板を覆う蓋部材３と、底板と蓋部材とで形成される内部空間４と外部とを連通させるため、蓋部材に穿設された孔３ａと、内部空間に収容された硫黄粉末５と、底板を土壌１０上に載置した際に、硫黄粉末を土壌に接触させる手段６とを備える農業用マット１。硫黄粉末を土壌に接触させる手段を、底板に形成された開口２ａと、開口を覆い、硫黄粉末が載置される紙７とで構成することができる。硫黄粉末を収容した状態で、開口する底部が紙に当接し、硫黄粉末を収容した空間と、底板及び蓋部材で形成される内部空間とを連通させるための孔８ａを有するカップ８を設けてもよい。【選択図】図１
2019171472.tif 000002
【特許請求の範囲】
【請求項１】
底板と、
該底板を覆う蓋部材と、
前記底板と前記蓋部材とで形成される内部空間と外部とを連通させるため、該蓋部材に穿設された孔と、
前記内部空間に収容された硫黄粉末と、
前記底板を土壌上に載置した際に、前記硫黄粉末を土壌に接触させる手段とを備えることを特徴とする農業用マット。
【請求項２】
前記硫黄粉末を土壌に接触させる手段は、前記底板に形成された開口と、該開口を覆い、前記硫黄粉末が載置される紙とからなることを特徴とする請求項１に記載の農業用マット。
【請求項３】
前記硫黄粉末を収容した状態で、開口する底部が前記紙に当接し、前記硫黄粉末を収容した空間と、前記底板及び前記蓋部材で形成される内部空間とを連通させるための孔を有するカップを備えることを特徴とする請求項２に記載の農業用マット。
【発明の詳細な説明】
【技術分野】
【０００１】
本発明は、病害や病虫害を防止しながら植物を栽培するための農業用マットに関する。
【背景技術】
【０００２】
従来、植物の中でも特に農作物を病害や病虫害から防ぐために種々の農薬が用いられている。また、農作物の病害等に対する抵抗性を増強したり、病害等からの早期回復を図るため、肥料の葉面散布等も行われている。
【発明の概要】
【発明が解決しようとする課題】
【０００３】
しかし、病害虫は短期間で多量に発生することも多いため、農薬等を頻繁に散布する必要があり、コストが増加するという問題があった。また、農薬に耐性を有する害虫や菌も存在するため、複数種類の農薬を用いる必要もあった。【０００４】
そこで、本発明は、上記従来の植物の栽培方法における問題点に鑑みてなされたものであって、病害や病虫害の予防に要するコストを抑えながら植物を栽培するための農業用マットを提供することを目的とする。
【課題を解決するための手段】
【０００５】
上記目的を達成するため、本発明に係る農業用マットは、底板と、該底板を覆う蓋部材と、前記底板と前記蓋部材とで形成される内部空間と外部とを連通させるため、該蓋部材に穿設された孔と、前記内部空間に収容された硫黄粉末と、前記底板を土壌上に載置した際に、前記硫黄粉末を土壌に接触させる手段とを備えることを特徴とする。【０００６】
本発明によれば、硫黄粉末が土壌と接触することで土壌中にメチオニンやアラニン等のアミノ酸が合成され、土壌中の硫黄細菌群によって硫黄根域が広がり、土壌の殺菌力が高まる。メチオニンとアラニンは蛋白質を誘導し、また、硫黄と土壌の接触期間が長くなると、硫黄細菌と光合成細菌の硫黄化合物無機栄の緑色細菌クロロビウム属や紅色細菌等クロロフィルカロチノイドが光を吸収し、硫黄粉末から亜硫酸ガスが生じ、この亜硫酸ガスが蓋部材に穿設された孔を通過して植苗の葉に吸収され、葉に付着した亜硫酸ガスの臭いが強いため、葉に病害虫が付き難くなり、従来使用していた農薬の量や種類を１／３程度に抑えることができ、植物の栽培に要するコストを低減し、作業の合理化を実現することができる。【０００７】
上記農業用マットにおいて、前記硫黄粉末を土壌に接触させる手段を、前記底板に形成された開口と、該開口を覆い、前記硫黄粉末が載置される紙とで構成することができる。これによれば、農業用マットを土壌上に設置するだけで、紙が濡れて強度が落ちたり、紙が土壌に分解されることで硫黄粉末を土壌に接触させることができる。【０００８】
上記農業用マットに、前記硫黄粉末を収容した状態で、開口する底部が前記紙に当接し、前記硫黄粉末を収容した空間と、前記底板と前記蓋部材とで形成される内部空間とを連通させるための孔を有するカップを設けることができる。これにより、カップの内部と農業用マットの外部を連通させながら、硫黄粉末を農業用マット内の所定の位置に保持することができる。【０００９】
以上のように、本発明によれば、植物を栽培する際に、病害や病虫害の予防に要するコストを低く抑えることができる。
【図面の簡単な説明】
【００１０】
【図１】本発明に係る農業用マットの一実施の形態を示す概略図であって、（ａ）は一部破断縦断面図、（ｂ）は平面図、（ｃ）は底面図である。
【図２】図１の農業用マットの設置例を示す概略図である。
【図３】植物の栽培方法の参考例を示す概略図である。
【発明を実施するための形態】
【００１１】
次に、本発明を実施するための形態について、図面を参照しながら詳細に説明する。
【００１２】
図１は、本発明に係る農業用マットの一実施の形態を示し、この農業用マット１は、底板２と、底板２を覆う蓋部材３と、底板２と蓋部材３とで形成される内部空間４と外部とを連通させるため、蓋部材３に穿設された孔３ａと、内部空間４に収容された硫黄粉末５と、底板２を土壌上に載置した際に、硫黄粉末５を土壌に接触させる手段（以下「接触手段」という。）６等を備える。
【００１３】
底板２は、短辺が６ｃｍ程度、長辺が１１ｃｍ程度の長方形の板であって、ポリエチレン又はビニール等のプラスチックからなる。この底板２には、後述するカップ７を４つ並べられる程度の長方形の開口２ａが２つ穿設されている。尚、この開口２ａは、上記接触手段６の一部である。
【００１４】
蓋部材３は、底板２の上面を底板２との間に内部空間４を形成しながら覆うものであって、ポリエチレン又はビニール等のプラスチックで製造することができる。蓋部材３に穿設される孔３ａの数及び配置は、例えば３行×５列にわたって計１５個とすることができる。尚、蓋部材３は底板２に接着等で固定される。
【００１５】
接触手段６として、底板２の２つの開口２ａと、底板２の開口２ａを塞ぐように底板２に接着され、硫黄粉末５が載置される２枚の紙７とを備える。
【００１６】
また、農業用マット１は、硫黄粉末５を収容した状態で、開口する底部が紙に７接着され、硫黄粉末５を収容した空間と底板２と蓋部材３の内部空間４とを連通させるための孔８ａを有するカップ（直径１．２ｃｍ程度）８を備える。このカップ８は、底板２の孔２ａ毎に４つずつ、計８つ設けられ、図示は省略するが、これらすべてのカップ８の内部に硫黄粉末５が収容されている。これにより、、硫黄粉末５を農業用マット１の所定の位置に保持しながら、後述する亜硫酸ガスを外部へ放出することができる。
【００１７】
さらに、蓋部材３の上面に突出する補強部３ｂを設けることで、農業用マット１の強度を高めることができる。
【００１８】
次に、上記構成を有する農業用マット１の設置例について、図１及び図２を参照しながら説明する。
【００１９】
本発明に係る農業用マット１は、土壌１０上の植苗１１の近傍に設置して使用する。農業用マット１を土壌１０上に設置すると、紙７が濡れて強度が落ちたり、紙７が土壌に分解されることでカップ８に収容される硫黄粉末５が土壌１０と接触する。
【００２０】
硫黄粉末５が土壌１０と接触することにより、土壌１０の中にメチオニンやアラニン等のアミノ酸が合成され、土壌中の硫黄細菌群によって硫黄根域が広がり、土壌の殺菌力を高め、植苗１１の根に対する、炭疽病、うどんこ病、べと病等の病害を防止すると共に、植苗１１の根に対するアブラ虫やダニ類による病虫害を予め防止することができる。
【００２１】
そして、硫黄粉末５と土壌１０の接触期間が長くなると、硫黄粉末５から亜硫酸ガスが生じ、カップ８の孔８ａ及び蓋部材３の孔３ａを介して農業用マット１の上部から外部へ放出される。放出された亜硫酸ガスが植苗１１の葉に吸収されることで、葉に付着する亜硫酸ガスの臭いが強いため、葉に病害虫が付き難くなり、特にべと病やうどんこ病、菌核病、褐斑病の予防に効果がある。尚、この亜硫酸ガスは、その８５％以上が植苗１１に吸収されるが、微量であるため、植苗１１及びその他の植物の生長や、ハウス内作業をする作業員等の人体及び周囲の環境にはほとんど影響がない。
【００２２】
本発明によれば、上述のように農業用マット１を設置するだけで病害や病虫害を防止することができるため、従来使用していた農薬の量を１／３程度に低減することができると共に、農薬の種類も少なく抑えることができ、コスト削減を図ることができる。尚、上記農業用マット１の設置後、およそ１５０日間にわたって上記効果が発揮される。
【００２３】
尚、上記説明においては、接触手段６を、底板２の開口２ａと、紙７で構成し、硫黄粉末５と土壌１０が自動的に接触する場合について説明したが、硫黄粉末５と土壌１０をより早く接触させるために、例えば、紙７に代えて、底板２の開口２ａを開閉するように摺動する摺動部材を設け、この摺動部材上に硫黄粉末５を載置しておき、農業用マット１を設置する際に、摺動部材を摺動させて開口２ａを開放することで硫黄粉末５と土壌１０を手動で接触させることもできる。
【００２４】
また、上記底板２及び蓋部材３に穿設される開口２ａや孔３ａの形状、数や配置は、例示に過ぎず、亜硫酸ガスの拡散具合や、硫黄粉末５と土壌１０の接触具合を考慮して適宜変更可能である。
【００２５】
次に、植物の栽培方法の参考例について図３を参照しながら説明する。
【００２６】
本参考例に係る植物の栽培方法は、土壌１０上の植苗１１を植える位置の近傍に、硫黄粉末２１を直線状に１本又は２本配置する（図示例では２本）。ここで、配置する硫黄粉末２１の量は、土壌１０ａ（アール）あたり１５〜５０ｋｇ程度とすることが好ましい。
【００２７】
次に、土壌１０の上に配置した硫黄粉末２１から４〜５０ｃｍ程度離れた位置に植孔２２ａが位置するように、土壌１０をビニルポリプロピレン等からなるシート（被覆部材）２２で覆った後、植孔２２ａに植苗１１を植える。
【００２８】
本参考例によれば、硫黄粉末２１が土壌１０と接触することで、土壌の殺菌力を高め、植苗１１の根に対する病害を防止すると共に、植苗１１の根に対する病虫害を予め防止することができる。また、硫黄粉末２１から生じる亜硫酸ガスにより、葉に病害虫が付き難くなる。そのため、従来使用していた農薬の量を低減することができると共に、農薬の種類も少なく抑えることができ、コスト削減を図ることができる。
【符号の説明】
【００２９】
１  農業用マット
２  底板
２ａ  開口
３  蓋部材
３ａ  孔
３ｂ  補強部
４  内部空間
５  硫黄粉末
６  接触手段
７  紙
８  カップ
８ａ  孔
１０  土壌
１１  植苗
２１  硫黄粉末
２２  シート
２２ａ  植孔
【図１】
2019171472.tif 000003
【図２】
2019171472.tif 000004
【図３】
2019171472.tif 000005
【国際調査報告】
2019171472.tif 000006
2019171472.tif 000007
2019171472.tif 000008
2019171472.tif 000009